【事件の表示】
　特願２００７−３３３７６６「スクリーン印刷方法および基板保持方法」拒絶査定不服審判事件〔平成２１年　７月１６日出願公開、特開２００９−１５４３５４〕について、次のとおり審決する。
【結　論】
　本件審判の請求は、成り立たない。
【理　由】
１．手続の経緯
　　本件出願は、平成１９年１２月２６日に出願されたものであって、平成２３年１１月２９日付けで手続補正がなされ、平成２４年２月９日付けで拒絶の査定がなされ、同年４月１８日に拒絶査定に対する審判の請求がなされると同時に手続補正書が提出されて特許請求の範囲及び明細書を補正する手続補正がなされ、これらに対し、同年６月５日付けで審判請求人に前置報告書の内容を示し意見を求めるための審尋がなされ、同年７月２５日付けで回答書が提出されたものである。
　
２．平成２４年４月１８日付け手続補正書による補正（以下、「本件補正」という。）についての補正却下の決定
　［補正却下の決定の結論］
　　本件補正を却下する。
　
　［理由］
（１）補正後の本願の発明
　本件補正により、特許請求の範囲の請求項１は、
「基板の下面側に位置してこの基板を真空吸着によりマスクプレートの下面側の印刷位置に保持する基板保持部と、前記基板保持部を前記基板に対して相対的に昇降させる昇降手段と、前記基板保持部の上面を前記スキージの移動方向に沿って区分して設定された複数の単位吸着領域毎に設けられ前記基板を真空吸着するための吸引孔と、前記各単位吸着領域の前記吸引孔から真空吸引するために個別に設けられた個別吸引回路と、前記個別吸引回路を介して行われる前記吸引孔からの真空吸引を個別にオン・オフおよびまたは強弱調節する吸引調節部と、前記スキージによる印刷動作において前記吸引調節部を前記スキージの位置と関連付けて制御する制御部とを備えたスクリーン印刷装置によって、パターン孔が形成されたマスクプレートの下面と前記基板
の上面全体
　前記基板を前記基板保持部によって下受けして前記マスクプレートの下面側の印刷位置に保持する基板下受け工程と、前記マスクプレートの上面でスキージを摺動させることにより前記パターン孔を介して基板にペーストを印刷するスキージング工程と、印刷後の前記基板をマスクプレートの下面から離隔させる版離れ工程とを含み、
　前記スキージング工程において、前記マスクプレート上で前記スキージが摺動している位置に対応する前記単位吸着領域の吸引孔からの真空吸引を、前記吸引調節部によってオフまたは弱に設定することにより、前記吸引孔からの真空吸引により前記基板が下方に凹入して窪みが生じるのを防止することを特徴とするスクリーン印刷方法。」
と補正された。（下線は審決で付した。以下同じ。）
　上記補正は、請求項１に係る発明を特定するために必要な事項である「基板」に関し、「基板の上面全体」と限定するものであって、特許法第１７条の２第５項第２号の特許請求の範囲の減縮を目的とするものに該当する。
　そこで、本件補正後の前記請求項１に係る発明（以下、「本願補正発明」という。）は、前記に記載された事項により特定されるところ、本願補正発明が、特許出願の際独立して特許を受けることができるものであるか（特許法第１７条の２第６項において準用する同法第１２６条第７項の規定に適合するか）について以下に検討する。
　
（２）引用例
　原査定の拒絶の理由に引用され、本願の出願前に頒布された「特開平３−１０１１８６号公報 」（以下「引用例」という。）には、図面と共に次の事項が記載されている。
・「
定盤上に回路基板を載置して
吸着保持するとともに、スクリーン上のインクをスキージによって押圧しながら前記回路基板上に印刷するようにした装置において、前記定盤を複数の区画に区分するとともに、それぞれの区画に前記吸着手段を設け、
・「印刷の際に
スキージと対応する位置のみを吸着しないで回路基板の他の部分は吸着して定盤に保持する
・「第１図は本発明の一実施例に係る回路基板１０の
スクリーン印刷装置
定盤１１の上部にはスクリーン１２が配されており、
スキージ１４が
移動し
　複数個に分割された各定盤１１は第２図に示すように、
その上面に臨んで多数の吸着孔１８を備えている
吸着孔１８は
横孔１９に連通され
横孔１９は
吸引パイプ２１に接続され
吸引パイプ２１は真空ポンプ２２に接続されるとともに、吸引パイプ２１の途中にはストップバルブ２３が接続されて
スキージ１４の位置を検出
して、コントローラ２５によって開閉されるようになっている
　以上のような構成において、スクリーン１２上にインク１５を供給するとともに、この
インク１５をスキージ１４によって
移動させ
このときに回路基板１０は吸着孔１８
によって吸着保持され
そして、スキージ１４が
移動する際に、
　このような検出に連動してコントローラ２５は、
スキージ１４が位置する定盤１１の吸着を停止するためにストップバルブ２３を閉じる
　また、第１図から、「
定盤の複数の区画は、スキージの移動方向に沿って区分されている
　そして、これらの記載事項には、「スクリーン印刷方法」が示されていると看取できる。
これらの記載事項及び図示内容を総合すると、引用例には、次の発明（以下、「引用発明」という。）が記載されているものと認められる。
　「定盤１１上に回路基板１０を載置して吸着保持し、定盤１１の上部にはスクリーン１２が配されるとともに、前記定盤１１を複数の区画にスキージ１４の移動方向に沿って区分するとともに、それぞれの区画の上面に臨んで多数の吸着孔１８を設け、吸着孔１８は横孔１９に連通され、横孔１９は吸引パイプ２１に接続され、吸引パイプ２１は真空ポンプ２２に接続されるとともに、吸引パイプ２１の途中にはストップバルブ２３が接続されて、スキージ１４の位置を検出して、コントローラ２５によって開閉されるようになっているスクリーン印刷装置によって、スクリーン１２上のインク１５をスキージ１４が移動して押圧しながら前記回路基板１０上に印刷するようにしたスクリーン印刷方法であって、
　インク１５をスキージ１４によって移動させ、このとき回路基板１０は吸着孔１８によって吸着保持され、そして、スキージ１４が移動する際に、スキージ１４が位置する定盤１１の吸着を停止するためにストップバルブ２３を閉じて、スキージ１４と対応する位置のみを吸着しないで回路基板１０の他の部分は吸着して定盤１１に保持するスクリーン印刷方法。」
　
（３）対比
　そこで、本願補正発明と引用発明とを対比すると、
　後者における「定盤１１」は、その構造、機能、作用等からみて、前者における「基盤保持部」に相当し、以下同様に、「回路基板１０」は、「基板」に、「スクリーン１２」は、「マスクプレート」に、「区画」は、「単位吸着領域」に、「スキージ１４」は、「スキージ」に、「吸着孔１８」は、「吸引孔」に、「吸引パイプ２１」は、「個別吸引回路」に、「ストップバルブ２３」は、「吸引調節部」に、「コントローラ２５」は、「制御部」に、「インク１５」は、「ペースト」に、それぞれ相当する。
　また、後者における「定盤１１」は、定盤１１上に回路基板１０を載置して吸着保持し、定盤１１の上部にはスクリーン１２が配されて印刷されるから、「回路基板１０の下面側に位置してこの回路基板１０を真空吸着によりスクリーン１２の下面側の印刷位置に保持する定盤１１」といえる。また、後者における「吸着孔１８」は、定盤１１を複数の区画にスキージ１４の移動方向に沿って区分して、それぞれの区画の上面に臨んで多数の吸着孔１８を設けらているから、「定盤１１の上面をスキージ１４の移動方向に沿って区分して設定された複数の区画毎に設けられ前記定盤１１を真空吸着するための吸引孔１８」といえる。また、後者における「吸引パイプ２１」は、それぞれの区画の吸着孔１８に連通された横孔１９、及び真空ポンプに接続され、その途中にはストップバルブ２３を備えているから、「各区画の吸着孔１８から真空吸引するために個別に設けられた吸引パイプ２１」といえる。また、後者における「ストップバルブ２３」は、吸引パイプ２１の途中には接続され、スキージ１４が位置する定盤１１のみの吸着を停止するためにストップバルブ２３を閉じて、スキージ１４と対応する位置のみを吸着しないで回路基板１０の他の部分は吸着しているから、「吸引パイプ２１を介して行われる吸着孔１８からの真空吸引を個別にオン・オフするストップバルブ２３」といえる。また、後者における「コントローラ２５」は、スキージ１４の位置を検出して、ストップバルブ２３を開閉するから、「スキージ１４による印刷動作においてストップバルブ２３を前記スキージ１４の位置と関連付けて制御するコントローラ２５」といえる。また、後者において、「スクリーン１２上のインク１５をスキージ１４が移動して押圧しながら回路基板１０上に印刷」しているから、「スクリーン１２上面でスキージ１４を摺動させることによりパターン孔を介して回路基板１０にペーストを印刷」しているといえると共に、「スクリーン１２の上面でスキージ１４を摺動させることによりパターン孔を介して回路基板１０にインク１５を印刷するスキージング工程」を備えているといえる。また、後者において、スクリーン印刷を行う際に、「定盤１１は、回路基板１０の下面側に位置してこの回路基板１０を真空吸着によりスクリーン１２の下面側の印刷位置に保持する」から、「回路基板１０を定盤１１によって下受けしてスクリーン１２の下面側の印刷位置に保持する回路基板下受け工程」を備えているといえる。また、後者において、「インク１５をスキージ１４によって移動させ（すなわち、スキージング工程）、このとき回路基板１０は吸着孔１８によって吸着保持され、そして、スキージ１４が移動する際に、スキージ１４が位置する定盤１１の吸着を停止するためにストップバルブ２３を閉じて、スキージ１４と対応する位置のみを吸着しないで回路基板１０の他の部分は吸着して定盤１１に保持」しているから、スキージング工程において、「スクリーン１２上でスキージ１４が摺動している位置に対応する区画の吸着孔１８からの真空吸引を、ストップバルブ２３によってオフに設定」しているといえる。
　したがって、両者は、
「基板の下面側に位置してこの基板を真空吸着によりマスクプレートの下面側の印刷位置に保持する基板保持部と、前記基板保持部の上面を前記スキージの移動方向に沿って区分して設定された複数の単位吸着領域毎に設けられ前記基板を真空吸着するための吸引孔と、前記各単位吸着領域の前記吸引孔から真空吸引するために個別に設けられた個別吸引回路と、前記個別吸引回路を介して行われる前記吸引孔からの真空吸引を個別にオン・オフおよびまたは強弱調節する吸引調節部と、前記スキージによる印刷動作において前記吸引調節部を前記スキージの位置と関連付けて制御する制御部とを備えたスクリーン印刷装置によって、前記マスクプレート上面でスキージを摺動させることにより前記パターン孔を介して前記基板にペーストを印刷するスクリーン印刷方法であって、
　前記マスクプレートの上面でスキージを摺動させることにより前記パターン孔を介して基板にペーストを印刷するスキージング工程を含み、
　前記スキージング工程において、前記マスクプレート上で前記スキージが摺動している位置に対応する前記単位吸着領域の吸引孔からの真空吸引を、前記吸引調節部によってオフまたは弱に設定するスクリーン印刷方法。」
　の点で一致し、以下の点で相違している。
［相違点１］
　本願補正発明は、「基板保持部を基板に対して相対的に昇降させる昇降手段」を備えているのに対し、引用発明は、そのような特定がされていない点。
［相違点２］
　本願補正発明は、「パターン孔が形成されたマスクプレートの下面と基板の上面全体とを当接させ」て印刷するのに対し、引用発明は、そのような特定がされていない点。
［相違点３］
　本願補正発明は、「印刷後の基板をマスクプレートの下面から離隔させる版離れ工程」を含んでいるのに対し、引用発明は、そのような特定がされていない点。
［相違点４］
　本願補正発明は、「吸引孔からの真空吸引により基板が下方に凹入して窪みが生じるのを防止する」のに対し、引用発明は、そのような特定がされていない点。
　
（４）判断
　上記相違点について以下検討する。
（４−１）相違点１について
　一般に、スクリーン印刷方法において、基板保持部を基板に対して相対的に昇降させる昇降手段を備えたことは、周知の技術事項（例えば、特開２００２−１９０８号公報の段落【００１６】、段落【００２９】、段落【００３４】、及び図３、特開２００３−２２４３９５号公報の段落【００１１】、段落【００１８】、特開２００５−４７１２３号公報の段落【０００９】、段落【００２３】、及び図７参照。以下、「周知の技術事項１」という。）
　また、引用発明と上記周知の技術事項１とは、共にスクリーン印刷方法という技術分野に属し、本願補正発明において、「基板保持部を基板に対して相対的に昇降させる昇降手段を備えた」点に格別の技術的意義はなく、普通に採用されている事項である。
　したがって、引用発明において、上記周知の技術事項１を適用することにより、相違点１に係る本願補正発明の構成とすることは、当業者が容易に想到し得るものである。
　
（４−２）相違点２について
　一般に、スクリーン印刷方法において、パターン孔が形成されたマスクプレートの下面と基板の上面全体とを当接させて印刷することは、周知の技術事項（例えば、特開２００３−２２４３９５号公報の段落【００１４】、段落【００１８】、及び図４、５、特開２００５−４７１２３号公報の段落【００１６】、段落【００２３】、及び図７（ｂ）参照。以下、「周知の技術事項２」という。）
　また、引用発明と上記周知の技術事項２とは、共にスクリーン印刷方法という技術分野に属し、本願補正発明において、「パターン孔が形成されたマスクプレートの下面と基板の上面全体とを当接させて印刷する」点に格別の技術的意義はなく、一般に、スクリーン印刷を行う場合、マスクプレートの下面と基板の上面全体とを当接させて印刷するか、マスクプレートの一部と基板の一部とを当接させて印刷するかのいずれかである。
　したがって、引用発明において、上記周知の技術事項２を適用することにより、相違点２に係る本願補正発明の構成とすることは、当業者が容易に想到し得るものである。
　
（４−３）相違点３について
　一般に、スクリーン印刷方法において、印刷後の基板をマスクプレートの下面から離隔させる版離れ工程を含んでいることは、周知の技術事項（例えば、特開２００２−１９０８号公報の段落【００３１】、段落【００３２】、段落【００３４】、及び図３、特開２００５−４７１２３号公報の段落【００２４】、及び図８参照。以下、「周知の技術事項３」という。）
　また、引用発明と上記周知の技術事項３とは、共にスクリーン印刷方法という技術分野に属し、本願補正発明において、「印刷後の基板をマスクプレートの下面から離隔させる版離れ工程を含む」点に格別の技術的意義はなく、普通に採用されている事項であって、引用発明においても、印刷後の回路基板１０（基板）をスクリーン１２（マスクプレート）の下面から離隔させる版離れ工程がなければ、印刷された回路基板１０（基板）を取り出すことはできないから、当該版離れ工程が含んでいると推認できるものである。
　したがって、引用発明において、上記周知の技術事項３を適用することにより、相違点３に係る本願補正発明の構成とすることは、当業者が容易に想到し得るものである。
　
（４−３）相違点４について
　例えば、原査定の拒絶の理由に引用され、本願の出願前に頒布された「特開平１１−３４２５８４号公報 」には、「【発明が解決しようとする課題】従来のスクリーン印刷機の移動テーブル１０３には、吸引孔１９０が備えられており、ワーク１１０を吸引するようにしているが、ワーク１１０が柔らかい素材でできている場合、或いは、薄いものである場合、図２４に示すように、ワーク１１０の表面に凹凸が生じてしまう場合がある。このように、ワーク１１０の表面が波打っている場合には、印刷が正確に行われないという問題点があった。」（段落【０００６】）と記載されているように、スクリーン印刷方法においては、吸引孔（吸引孔１９０）によって、基板（ワーク）を吸引するとき、基板（ワーク）が柔らかい素材でできているもの、つまり剛性が小さいものや薄いものである場合、基板（ワーク）の表面に凹凸、つまり窪みが生じてしまい、印刷が正確に行われないという一般的な課題を有するものであるから、引用発明においても、内在する自明の課題である。
　そして、引用発明は、上記の課題を解決するための手段である「インク１５をスキージ１４によって移動させ、このとき回路基板１０は吸着孔１８によって吸着保持され、そして、スキージ１４が移動する際に、スキージ１４が位置する定盤１１の吸着を停止するためにストップバルブ２３を閉じて、スキージ１４と対応する位置のみを吸着しないで回路基板１０の他の部分は吸着して定盤１１に保持する」、つまり「スキージング工程において、スクリーン１２（マスクプレート）上でスキージ１４（スキージ）が摺動している位置に対応する区画（単位吸着領域）の吸着孔１８（吸引孔）からの真空吸引を、ストップバルブ２３（吸引調節部）によってオフに設定する」との本願補正発明と同様の発明特定事項を備えるものであるから、必然的に「吸着孔１８（吸引孔）からの真空吸引により回路基板１０（基板）が下方に凹入して窪みが生じるのを防止する」ことになる。
　したがって、本願補正発明と引用発明とは、上記相違点４において、実質的な差異はない。
　
　そして、本願補正発明の全体構成によって奏される効果も、引用発明、及び上記周知の技術事項１〜３から当業者が予測し得る範囲内のものである。
　
　よって、本願補正発明は、引用発明、及び上記周知の技術事項１〜３に基づいて、当業者が容易に発明をすることができたものであるから、特許法第２９条第２項の規定により特許出願の際独立して特許を受けることができないものである。
　
（５）むすび
　以上のとおりであって、本件補正は、特許法第１７条の２第６項において準用する同法第１２６条第７項の規定に違反するので、同法第１５９条第１項において読み替えて準用する同法第５３条第１項の規定により却下すべきものである。
　
３．本願の発明について
　本件補正は、上記のとおり却下されたので、本願の請求項１に係る発明（以下、「本願発明」という。）は、平成２３年１１月２９日付け手続補正書の特許請求の範囲の請求項１に記載された事項により特定される、以下のとおりのものである。
「基板の下面側に位置してこの基板を真空吸着によりマスクプレートの下面側の印刷位置に保持する基板保持部と、前記基板保持部を前記基板に対して相対的に昇降させる昇降手段と、前記基板保持部の上面を前記スキージの移動方向に沿って区分して設定された複数の単位吸着領域毎に設けられ前記基板を真空吸着するための吸引孔と、前記各単位吸着領域の前記吸引孔から真空吸引するために個別に設けられた個別吸引回路と、前記個別吸引回路を介して行われる前記吸引孔からの真空吸引を個別にオン・オフおよびまたは強弱調節する吸引調節部と、前記スキージによる印刷動作において前記吸引調節部を前記スキージの位置と関連付けて制御する制御部とを備えたスクリーン印刷装置によって、パターン孔が形成されたマスクプレートの下面と前記基板を当接させ、前記マスクプレート上面でスキージを摺動させることにより前記パターン孔を介して前記基板にペーストを印刷するスクリーン印刷方法であって、
　前記基板を前記基板保持部によって下受けして前記マスクプレートの下面側の印刷位置に保持する基板下受け工程と、前記マスクプレートの上面でスキージを摺動させることにより前記パターン孔を介して基板にペーストを印刷するスキージング工程と、印刷後の前記基板をマスクプレートの下面から離隔させる版離れ工程とを含み、
　前記スキージング工程において、前記マスクプレート上で前記スキージが摺動している位置に対応する前記単位吸着領域の吸引孔からの真空吸引を、前記吸引調節部によってオフまたは弱に設定することにより、前記吸引孔からの真空吸引により前記基板が下方に凹入して窪みが生じるのを防止することを特徴とするスクリーン印刷方法。」
　
（１）引用例
　原査定の拒絶の理由に引用され、本願の出願日前に頒布された「特開平３−１０１１８６号公報 」の記載内容は、上記「２．（２）引用例」に記載したとおりである。
　
（２）対比・判断
　本願発明は、実質的に上記「２．（１）補正後の本願の発明」で検討した本願補正発明の「基板」に関し、「基板の上面全体」との限定を省いたものである。
　
　そうすると、本願発明を特定する事項の全てを含み、さらに他の構成要件を付加したものに相当する本願補正発明が、上記「２．（３）対比」及び「２．（４）判断」に記載したとおり、引用発明、及び上記周知の技術事項１〜３に基づいて当業者が容易に発明をすることができたものであるから、本願発明も、同様の理由により、引用発明、及び上記周知の技術事項１〜３に基づいて当業者が容易に発明をすることができたものである。
　
（３）むすび
　以上のとおりであるから、本願発明は、引用発明、及び上記周知の技術事項１〜３に基づいて、当業者が容易に発明をすることができたものであるから、特許法第２９条第２項の規定により特許を受けることができない。
　
　よって、結論のとおり審決する。